(57)【特許請求の範囲】
【請求項１】
ユーザ装置（ＵＥ）であって、
マクロ基地局との無線リソース制御（ＲＲＣ）接続を確立するように構成される、第３の接続確立ユニットと、
前記第３の接続確立ユニットが前記ＲＲＣ接続を確立した後、前記マクロ基地局によって前記ＵＥに送信されるＲＲＣリコンフィギュレーションメッセージを受信するように構成される、リコンフィギュレーションメッセージ受信ユニットと、
前記リコンフィギュレーションメッセージ受信ユニットによって受信された前記ＲＲＣリコンフィギュレーションメッセージに基づいて無線インターフェースを介してスモールセルとのユーザプレーン接続を確立し、前記ユーザプレーン接続で前記スモールセルとのデータベアラを確立するように構成される、第２の接続およびベアラ確立ユニットであって、前記データベアラは当該ＵＥとコアネットワーク（ＣＮ）要素との間でユーザプレーンデータを送信するためだけに利用される、第２の接続およびベアラ確立ユニットと、
前記確立されたＲＲＣ接続のみを介し前記マクロ基地局に制御プレーンシグナリングを送信し、前記マクロ基地局を介し前記ＣＮ要素に前記ユーザプレーンデータを送信するため、前記データベアラのみを介し前記スモールセルに前記ユーザプレーンデータを送信するか、又は、前記ＣＮ要素に前記ユーザプレーンデータを送信するため、前記データベアラのみを介し前記スモールセルに前記ユーザプレーンデータを直接送信するよう構成されるユニットと、
を備える、ユーザ装置。
【請求項２】
前記スモールセルと前記ＵＥとの間の前記無線インターフェースのプロトコルスタックは、
パケットデータコンバージェンスプロトコル（ＰＤＣＰ）、無線リンク制御（ＲＬＣ）レイヤプロトコル、媒体アクセス制御（ＭＡＣ）レイヤプロトコル、およびレイヤ１（Ｌ１）プロトコルを備えるのみであり、および／または
無線リソース制御（ＲＲＣ）レイヤプロトコルを備えない、請求項１に記載のユーザ装置。
【請求項３】
ワイヤレスブロードバンド通信方法であって、
ユーザ装置（ＵＥ）が、マクロ基地局との無線リソース制御（ＲＲＣ）接続を確立するステップと、
前記ＵＥが前記ＲＲＣ接続を確立した後、前記マクロ基地局によって前記ＵＥに送信されるＲＲＣリコンフィギュレーションメッセージを受信するステップと、
前記ＵＥが、前記ＲＲＣリコンフィギュレーションメッセージに基づいて無線インターフェースを介してスモールセルとのユーザプレーン接続を確立し、前記ユーザプレーン接続で前記スモールセルとのデータベアラを確立するステップであって、前記データベアラは前記ＵＥとコアネットワーク（ＣＮ）要素との間でユーザプレーンデータを送信するためだけに利用される、確立するステップと、
前記ＵＥが、前記確立されたＲＲＣ接続を介し前記マクロ基地局に制御プレーンシグナリングを送信するステップと、
前記ＵＥが、前記マクロ基地局を介し前記ＣＮ要素に前記ユーザプレーンデータを送信するため、前記データベアラのみを介し前記スモールセルに前記ユーザプレーンデータを送信するか、又は、前記ＣＮ要素に前記ユーザプレーンデータを送信するため、前記データベアラのみを介し前記スモールセルに前記ユーザプレーンデータを直接送信するステップと、
を備える、方法。
【請求項４】
前記スモールセルと前記ＵＥとの間の前記無線インターフェースのプロトコルスタックは、
パケットデータコンバージェンスプロトコル（ＰＤＣＰ）、無線リンク制御（ＲＬＣ）レイヤプロトコル、媒体アクセス制御（ＭＡＣ）レイヤプロトコル、およびレイヤ１（Ｌ１）プロトコルを備えるのみであり、および／または
無線リソース制御（ＲＲＣ）レイヤプロトコルを備えない、請求項３に記載の方法。
【請求項５】
マクロ基地局であって、
ＵＥとの無線リソース制御（ＲＲＣ）接続を確立するように構成される、第２の接続確立ユニットと、
前記第２の接続確立ユニットが前記ＲＲＣ接続を確立した後、ワイヤレスインターフェースを介して前記ＵＥにＲＲＣリコンフィギュレーションメッセージを送信し、有線またはワイヤレスインターフェースを介してスモールセルにコンフィギュレーションメッセージを送信するように構成される、コンフィギュレーションメッセージ送信ユニットであって、前記ＲＲＣリコンフィギュレーションメッセージおよび前記コンフィギュレーションメッセージは、前記スモールセルおよび前記ＵＥが前記スモールセルと前記ＵＥとの間のユーザプレーン接続を確立するために使用され、前記ＵＥは前記ユーザプレーン接続により前記スモールセルとデータベアラを確立し、前記データベアラは前記ＵＥとコアネットワーク（ＣＮ）要素との間でユーザプレーンデータを送信するためだけに利用される、コンフィギュレーションメッセージ送信ユニットと、
前記確立されたＲＲＣ接続を介し前記ＵＥに制御プレーンシグナリングを送信し、前記スモールセルから前記ユーザプレーンデータを受信し、前記ＣＮ要素に前記ユーザプレーンデータを送信するよう構成されるユニットであって、前記ユーザプレーンデータは前記ＵＥによって前記スモールセルを通じて前記データベアラを介し送信される、ユニットと、
を備える、マクロ基地局。
【請求項６】
前記コンフィギュレーションメッセージ送信ユニットは、
前記第２の接続確立ユニットが前記ＲＲＣ接続を確立した後、ワイヤレスインターフェースを介して前記ＵＥに前記ＲＲＣリコンフィギュレーションメッセージを送信し、有線またはワイヤレスインターフェースを介してユーザプレーンプロトコルコンフィギュレーション情報を送信し、前記ＲＲＣリコンフィギュレーションメッセージおよび前記コンフィギュレーションメッセージは、前記スモールセルおよび前記ＵＥが前記スモールセルと前記ＵＥとの間の前記ユーザプレーン接続を確立するために使用され、前記ＵＥは前記ユーザプレーン接続により前記スモールセルとデータベアラを確立し、前記データベアラはユーザプレーンデータを送信するためだけに利用され、または
前記第２の接続確立ユニットが前記ＲＲＣ接続を確立した後、ワイヤレスインターフェースを介して前記ＵＥに前記ＲＲＣリコンフィギュレーションメッセージを送信し、有線またはワイヤレスインターフェースを介してセカンダリコンポーネントキャリアＳＣＣコンフィギュレーション情報を送信し、前記ＲＲＣリコンフィギュレーションメッセージおよび前記コンフィギュレーションメッセージは、前記スモールセルおよび前記ＵＥが前記スモールセルと前記ＵＥとの間の前記ユーザプレーン接続を確立するために使用され、前記ＵＥは前記ユーザプレーン接続により前記スモールセルとデータベアラを確立し、前記データベアラはユーザプレーンデータを送信するためだけに利用される、
ように構成される、請求項５に記載のマクロ基地局。
【請求項７】
前記有線インターフェースは、
基地局とモビリティマネジメントエンティティ（ＭＭＥ）との間のＳ１インターフェース、基地局間のＸ２インターフェース、共通公衆無線インターフェース（ＣＰＲＩ）、およびワイヤレスネットワークコントローラと基地局との間のＩｕｂインターフェース
のうちの、任意の１つ、またはいくつかの任意の組み合わせを備え、
前記ワイヤレスインターフェースは、
基地局とＵＥとの間のＵｕインターフェース、および／または基地局の伝送のためのマイクロ波インターフェース
を備える、請求項５または６に記載のマクロ基地局。
【請求項８】
前記コンフィギュレーションメッセージ送信ユニットはさらに、
前記第２の接続確立ユニットが前記ＲＲＣ接続を確立した後、静的または半静的な設定リソースの割り当て情報を送信し、
前記第２の接続確立ユニットが前記ＲＲＣ接続を確立した後、前記静的または半静的な設定リソースでのランダムアクセスのためのリソース割り当て情報、または、ランダムアクセスおよびデータスケジューリングのためのリソース割り当て情報を送信する
ように構成される、請求項５乃至７何れか一項に記載のマクロ基地局。
【請求項９】
前記スモールセルから静的または半静的な設定リソースのための適用を受信するように構成される、適用受信ユニット、または
前記ＵＥを前記マクロ基地局にハンドオーバーする命令を受信するように構成される、ハンドオーバー命令受信ユニット
をさらに備える、請求項８に記載のマクロ基地局。
【請求項１０】
前記スモールセルから前記ユーザプレーンデータを受信するよう構成されるユニットは、前記マクロ基地局と前記スモールセルとの間の有線又はワイヤレスインターフェースを介し前記スモールセルから前記ユーザプレーンデータを受信するよう構成される、請求項５乃至９何れか一項に記載のマクロ基地局。
【請求項１１】
ワイヤレスブロードバンド通信方法であって、
マクロ基地局が、ＵＥとの無線リソース制御（ＲＲＣ）接続を確立するステップと、
前記マクロ基地局が、ワイヤレスインターフェースを介して前記ＵＥにＲＲＣリコンフィギュレーションメッセージを送信し、有線またはワイヤレスインターフェースを介してスモールセルにコンフィギュレーションメッセージを送信するステップであって、前記ＲＲＣリコンフィギュレーションメッセージおよび前記コンフィギュレーションメッセージは、前記ＵＥが前記スモールセルと前記ＵＥとの間のユーザプレーン接続を確立するために使用され、前記ＵＥは前記ユーザプレーン接続により前記スモールセルとデータベアラを確立し、前記データベアラは前記ＵＥとコアネットワーク（ＣＮ）要素との間でユーザプレーンデータを送信するためだけに利用される、送信するステップと、
前記マクロ基地局が、前記確立されたＲＲＣ接続を介し前記ＵＥに制御プレーンシグナリングを送信するステップと、
前記マクロ基地局が、前記スモールセルから前記ユーザプレーンデータを受信するステップであって、前記ユーザプレーンデータは前記ＵＥによって前記スモールセルを通じて前記データベアラを介し送信される、受信するステップと、
前記マクロ基地局が、前記ＣＮ要素に前記ユーザプレーンデータを送信するステップと、
を備える、方法。
【請求項１２】
前記有線またはワイヤレスインターフェースを介してスモールセルにコンフィギュレーションメッセージを送信するステップは、
有線またはワイヤレスインターフェースを介してユーザプレーンプロトコルコンフィギュレーション情報を送信するステップであって、前記ＲＲＣリコンフィギュレーションメッセージおよび前記コンフィギュレーションメッセージは、前記スモールセルおよび前記ＵＥが前記スモールセルと前記ＵＥとの間の前記ユーザプレーン接続を確立するために使用され、前記ＵＥは前記ユーザプレーン接続により前記スモールセルとデータベアラを確立し、前記データベアラはユーザプレーンデータを送信するためだけに利用される、送信するステップ、または
有線またはワイヤレスインターフェースを介してセカンダリコンポーネントキャリア（ＳＣＣ）コンフィギュレーション情報を送信するステップであって、前記ＲＲＣリコンフィギュレーションメッセージおよび前記コンフィギュレーションメッセージは、前記スモールセルおよび前記ＵＥが前記スモールセルと前記ＵＥとの間の前記ユーザプレーン接続を確立するために使用され、前記ＵＥは前記ユーザプレーン接続により前記スモールセルとデータベアラを確立し、前記データベアラはユーザプレーンデータを送信するためだけに利用される、送信するステップ
を備える、請求項１１に記載の方法。
【請求項１３】
前記有線インターフェースは、
基地局とモビリティマネジメントエンティティ（ＭＭＥ）との間のＳ１インターフェース、基地局間のＸ２インターフェース、共通公衆無線インターフェース（ＣＰＲＩ）、およびワイヤレスネットワークコントローラと基地局との間のＩｕｂインターフェース
のうちの、任意の１つ、またはいくつかの任意の組み合わせを備え、
前記ワイヤレスインターフェースは、
基地局とＵＥとの間のＵｕインターフェース、および／または基地局の伝送のためのマイクロ波インターフェース
を備える、請求項１１または１２に記載の方法。
【請求項１４】
前記マクロ基地局が、静的または半静的な設定リソースの割り当て情報を送信するステップと、
前記マクロ基地局が、前記静的または半静的な設定リソースでのランダムアクセスのためのリソース割り当て情報、または、ランダムアクセスおよびデータスケジューリングのためのリソース割り当て情報を送信するステップと
をさらに備える、請求項１１乃至１３何れか一項に記載の方法。
【請求項１５】
前記マクロ基地局が、前記スモールセルから前記ユーザプレーンデータを受信するステップは、前記マクロ基地局が、前記マクロ基地局と前記スモールセルとの間の有線又はワイヤレスインターフェースを介し前記スモールセルから前記ユーザプレーンデータを受信するステップを更に有する、請求項１１乃至１４何れか一項に記載の方法。
【請求項１６】
請求項１又は２に記載のユーザ装置と、請求項５乃至１０何れか一項に記載のマクロ基地局とを有するワイヤレスブロードバンド通信システム。
【発明の詳細な説明】
【技術分野】
【０００１】
本願は、２０１１年７月１５日に中国特許庁に出願され、「ワイヤレスブロードバンド通信方法、デバイス、およびシステム」と題する、中国特許出願番号第２０１１１０１９９３２６．８号明細書の優先権を主張し、その全内容は引用により本明細書に組み込まれる。
【背景技術】
【０００２】
科学技術の進歩に伴い、人々は、モバイル通信のサービスおよび品質に対し、ますます高い要求を持っている。研究は、限られたスペクトルリソースを使用しながら、伝送品質を改善し、事業費を減じることに焦点を当てている。
【０００３】
現在、ワイヤレステクノロジーに基づいたモバイル通信は、屋内での応用および屋外での応用のために、市場において幅広い応用を見出している。ワイヤレステクノロジーは、そのような大きなスケールで使用され、現在、モバイル通信の開発のための推進力もまた、ブロードバンドデータサービスに対する要求から生じており、それは、公衆モバイルワイヤレスネットワーク、特に、屋内のシナリオにおいて同じくターゲットにされているロングタームエボリューションテクノロジー（ロングタームエボリューション、ＬＴＥ）に大きな影響をもたらす。
【０００４】
従来技術では、ＬＴＥホームｅＮｏｄｅＢ（ＬＴＥホームｅＮｏｄｅＢ）の論理アーキテクチャは、Ｓ１インターフェースを介して、モビリティマネジメントエンティティ（モビリティマネジメントエンティティ、ＭＭＥ）に接続される。ＬＴＥホームｅＮｏｄｅＢの数は多いので、ＬＴＥホームｅＮｏｄｅＢがＳ１インターフェースを介してＭＭＥに直接的に接続される場合、ＭＭＥの性能およびコストの両方が、著しく影響を受ける。したがって、規格により、１つの中間ノード、すなわち、１つのホームｅＮＢゲートウェイ（ＨｅＮＢゲートウェイ、ＨｅＮＢ  ＧＷ）が、ＭＭＥにおける非常に多くのＳ１インターフェースを回避するために、ＭＭＥとＬＴＥホームｅＮｏｄｅＢとの間に追加される。
【０００５】
機能については、ホームｅＮＢは、一般的な基地局の機能と同一の機能を有し、次世代モバイルブロードバンド通信テクノロジーにおける、帯域幅および容量を増やすと同時にコストを減じる、という要求を満足することができない。
【発明の概要】
【発明が解決しようとする課題】
【０００６】
科学技術の進歩に伴い、人々は、モバイル通信のサービスおよび品質に対し、ますます高い要求を持っている。研究は、限られたスペクトルリソースを使用しながら、伝送品質を改善し、事業費を減じることに焦点を当てている。
【０００７】
現在、ワイヤレステクノロジーに基づいたモバイル通信は、屋内での応用および屋外での応用のために、市場において幅広い応用を見出している。ワイヤレステクノロジーは、そのような大きなスケールで使用され、現在、モバイル通信の開発のための推進力もまた、ブロードバンドデータサービスに対する要求から生じており、それは、公衆モバイルワイヤレスネットワーク、特に、屋内のシナリオにおいて同じくターゲットにされているロングタームエボリューションテクノロジー（ロングタームエボリューション、ＬＴＥ）に大きな影響をもたらす。
【０００８】
従来技術では、ＬＴＥホームｅＮｏｄｅＢ（ＬＴＥホームｅＮｏｄｅＢ）の論理アーキテクチャは、Ｓ１インターフェースを介して、モビリティマネジメントエンティティ（モビリティマネジメントエンティティ、ＭＭＥ）に接続される。ＬＴＥホームｅＮｏｄｅＢの数は多いので、ＬＴＥホームｅＮｏｄｅＢがＳ１インターフェースを介してＭＭＥに直接的に接続される場合、ＭＭＥの性能およびコストの両方が、著しく影響を受ける。したがって、規格により、１つの中間ノード、すなわち、１つのホームｅＮＢゲートウェイ（ＨｅＮＢゲートウェイ、ＨｅＮＢ  ＧＷ）が、ＭＭＥにおける非常に多くのＳ１インターフェースを回避するために、ＭＭＥとＬＴＥホームｅＮｏｄｅＢとの間に追加される。
【０００９】
機能については、ホームｅＮＢは、一般的な基地局の機能と同一の機能を有し、次世代モバイルブロードバンド通信テクノロジーにおける、帯域幅および容量を増やすと同時にコストを減じる、という要求を満足することができない。
【課題を解決するための手段】
【００１０】
本発明の実施形態は、モバイルブロードバンド通信の帯域幅および容量を増やすと同時にコストを減じるように、ワイヤレスブロードバンド通信方法、デバイス、およびシステムを提供する。
【００１１】
本発明の実施形態は、ユーザ装置を提供し、それは、
マクロ基地局との無線リソース制御ＲＲＣ接続を確立するように構成された第３の接続確立ユニットと、
第３の接続確立ユニットがＲＲＣ接続を確立した後、マクロ基地局によってＵＥに送信されるＲＲＣリコンフィギュレーションメッセージを受信するように構成されたリコンフィギュレーションメッセージ受信ユニットと、
リコンフィギュレーションメッセージ受信ユニットによって受信されたＲＲＣリコンフィギュレーションメッセージに基づいて無線インターフェースを介してスモールセル（スモールセル）とのユーザプレーン接続を確立し、ユーザプレーン接続でスモールセルとのデータベアラを確立するように構成された第２の接続およびベアラ確立ユニットと
を含む。
【００１２】
本発明の実施形態は、ワイヤレスブロードバンド通信方法を提供し、それは、
ユーザ装置ＵＥによって、マクロ基地局との無線リソース制御ＲＲＣ接続を確立するステップと、
ＵＥがＲＲＣ接続を確立した後、マクロ基地局によってＵＥに送信されるＲＲＣリコンフィギュレーションメッセージを受信するステップと、
ＵＥによって、ＲＲＣリコンフィギュレーションメッセージに基づいて無線インターフェースを介してスモールセルとのユーザプレーン接続を確立し、ユーザプレーン接続でスモールセルとのデータベアラを確立するステップと
を含む。
【００１３】
本発明の実施形態は、マクロ基地局を提供し、それは、
ＵＥとの無線リソース制御ＲＲＣ接続を確立するように構成された第２の接続確立ユニットと、
第２の接続確立ユニットがＲＲＣ接続を確立した後、ワイヤレスインターフェースを介してＵＥにＲＲＣリコンフィギュレーションメッセージを送信し、有線またはワイヤレスインターフェースを介してスモールセルに構成メッセージを送信するように構成されたコンフィギュレーションメッセージ送信ユニットであって、ＲＲＣリコンフィギュレーションメッセージおよびコンフィギュレーションメッセージは、スモールセルおよびＵＥがユーザプレーン接続を確立するために使用される、コンフィギュレーションメッセージ送信ユニットと
を含む。
【００１４】
本発明の実施形態は、ワイヤレスブロードバンド通信方法を提供し、それは、
マクロ基地局によって、ＵＥとの無線リソース制御ＲＲＣ接続を確立するステップと、
マクロ基地局によって、ワイヤレスインターフェースを介してＵＥにＲＲＣリコンフィギュレーションメッセージを送信し、有線またはワイヤレスインターフェースを介してスモールセルにコンフィギュレーションメッセージを送信するステップであって、ＲＲＣリコンフィギュレーションメッセージおよびコンフィギュレーションメッセージは、スモールセルおよびＵＥがユーザプレーン接続を確立するために使用される、コンフィギュレーションメッセージを送信するステップと
を含む。
【００１５】
本発明の実施形態は、スモールセルを提供し、それは、
マクロ基地局により有線またはワイヤレスインターフェースを介して送信されるコンフィギュレーションメッセージを受信する、コンフィギュレーションメッセージ受信ユニットと、
コンフィギュレーションメッセージ受信ユニットによって受信されたコンフィギュレーションメッセージに基づいてスモールセルとＵＥとの間のユーザプレーン接続を確立し、ユーザプレーン接続でＵＥとのデータベアラを確立するように構成された第１の接続およびベアラ確立ユニットと
を含む。
【００１６】
本発明の実施形態は、ワイヤレスブロードバンド通信方法を提供し、それは、
スモールセルによって、マクロ基地局により有線またはワイヤレスインターフェースを介して送信されるコンフィギュレーションメッセージを受信するステップと、
スモールセルによって、コンフィギュレーションメッセージに基づいてスモールセルとＵＥとの間のユーザプレーン接続を確立し、ユーザプレーン接続でＵＥとのデータベアラを確立するステップと
を含む。
【００１７】
本発明の実施形態は、ワイヤレスブロードバンド通信システムを提供し、それは、
上述のスモールセルおよび上述のマクロ基地局
を含む。
【発明の効果】
【００１８】
従来技術と比較すると、本発明の実施形態において提供される方法、デバイス、およびシステムでは、ユーザ装置ＵＥがまず、マクロ基地局との無線リソース制御ＲＲＣ接続を確立し、マクロ基地局が次に、スモールセルでのリソース設定を実行し、ＵＥとスモールセルとの間のユーザプレーン接続を確立するので、ユーザプレーンデータのためのトラヒック分割の効果が達成され、モバイルブロードバンド通信の帯域幅および容量が増え、コストが減じられる。
【００１９】
本発明の実施形態または従来技術における技術的な解決手段をより明確に説明するために、以下は、実施形態または従来技術を説明するために必要な添付図面を簡単に紹介するものである。明らかに、以下の説明における添付図面は、本発明のいくつかの実施形態を示すものにすぎず、当業者は、創意工夫なしにこれらの添付図面にしたがって他の図面をさらに考案することができる。
【図面の簡単な説明】
【００２０】
【図１】図１は、本発明の実施形態に係るワイヤレスブロードバンド通信方法のフローチャートである。
【図２】図２は、本発明の実施形態に係るネットワークトポロジーの図である。
【図３】図３は、本発明の実施形態に係る別のネットワークトポロジーの図である。
【図４】図４は、本発明の実施形態に係るプロトコルスタックの構成図である。
【図５】図５は、本発明の実施形態に係る別のプロトコルスタックの構成図である。
【図６】図６は、本発明の実施形態に係る別のプロトコルスタックの構成図である。
【図７】図７は、本発明の実施形態に係る別のプロトコルスタックの構成図である。
【図８】図８は、本発明の実施形態に係るワイヤレスブロードバンド通信方法のシグナリングインタラクションの図である。
【図９】図９は、本発明の実施形態に係るワイヤレスブロードバンド通信方法のシグナリングインタラクションの図である。
【図１０】図１０は、本発明の実施形態に係る別のワイヤレスブロードバンド通信方法のフローチャートである。
【図１１】図１１は、本発明の実施形態に係る別のネットワークトポロジーの図である。
【図１２】図１２は、本発明の実施形態に係る別のネットワークトポロジーの図である。
【図１３】図１３は、本発明の実施形態に係るプロトコルスタックの構成図である。
【図１４】図１４は、本発明の実施形態に係る別のプロトコルスタックの構成図である。
【図１５】図１５は、本発明の実施形態に係る別のプロトコルスタックの構成図である。
【図１６】図１６は、本発明の実施形態に係る別のプロトコルスタックの構成図である。
【図１７】図１７は、本発明の実施形態に係る別のワイヤレスブロードバンド通信方法のシグナリングインタラクションの図である。
【図１８】図１８は、本発明の実施形態に係るワイヤレスブロードバンド通信のためのスモールセルの構成図である。
【図１９】図１９は、本発明の実施形態に係るワイヤレスブロードバンド通信のための別のスモールセルの構成図である。
【図２０】図２０は、本発明の実施形態に係るワイヤレスブロードバンド通信のためのマクロ基地局の構成図である。
【図２１】図２１は、本発明の実施形態に係るＵＥの構成図である。
【図２２】図２２は、本発明の実施形態に係る別のＵＥの構成図である。
【図２３】図２３は、本発明の実施形態に係るワイヤレスブロードバンド通信システムの構成図である。
【図２４】図２４は、本発明の実施形態に係る別のワイヤレスブロードバンド通信システムの構成図である。
【図２５】図２５は、本発明の実施形態に係る別のワイヤレスブロードバンド通信方法のフローチャートである。
【図２６】図２６は、本発明の実施形態に係る別のワイヤレスブロードバンド通信方法のフローチャートである。
【発明を実施するための形態】
【００２１】
図１は、本発明の実施形態に係るワイヤレスブロードバンド通信方法のフローチャートである。この実施形態は、
ステップ１０１。マクロ基地局が、ユーザ装置ＵＥとの無線リソース制御ＲＲＣ接続を確立する。
【００２２】
ステップ１０２。スモールセルが、マクロ基地局により有線またはワイヤレスインターフェースを介して送信されるコンフィギュレーションメッセージを受信する。
【００２３】
ステップ１０３。スモールセルが、コンフィギュレーションメッセージに基づいてスモールセルとＵＥとの間のユーザプレーン接続を確立し、ユーザプレーン接続でＵＥとのデータベアラを確立する。
【００２４】
を含む。
【００２５】
本発明のこの実施形態における実行主体は、スモールセルである。スモールセルは、ピコセル（ピコ）、フェムトセル（フェムト）、低モビリティセル（低モビリティ、ＬｏＭｏ）、他のローカルワイヤレスアクセスポイントＡＰ、またはデバイスツーデバイス（Ｄ２Ｄ）機能を有するＵＥであってもよい。この実施形態では、たとえば、スモールセルはＬｏＭｏである。
【００２６】
マクロ基地局は主に、ＵＥのモビリティマネジメント機能を含む、ＵＥの制御プレーン機能を実現するように構成される。ＬｏＭｏは主に、ユーザプレーン機能を実現するために、屋内の低モビリティデータサービスを担うように構成される。特に、別個の転送手法が採用され、無線インターフェースのためのユーザプレーンデータの転送と制御プレーンデータの転送とのために、異なる経路が使用される。すなわち、ＬｏＭｏからＵＥへのリンクがユーザプレーンデータを伝送するのみであるのに対して、ＬｏＭｏからＵＥへの制御プレーンシグナリングは、マクロ基地局からＵＥへのリンクを介して確立される。
【００２７】
図２に示すように、マクロ基地局は、ＬｏＭｏなしに無線インターフェースを介してＵＥに直接的に接続される。ＬｏＭｏは、マクロ基地局とＵＥとの間でそのようなインターフェースを介してＲＲＣ接続を確立する。マクロ基地局は、有線またはワイヤレスインターフェースを介してＬｏＭｏに接続される。有線インターフェースは、基地局とモビリティマネジメントエンティティＭＭＥとの間のＳ１インターフェース、および／または基地局間のＸ２インターフェース、および／または共通公衆無線インターフェースＣＰＲＩ、および／またはワイヤレスネットワークコントローラと基地局との間のＩｕｂインターフェースを含む。ＬｏＭｏは、マクロ基地局により有線またはワイヤレスインターフェースを介して送信されるコンフィギュレーションメッセージを、そのようなインターフェースを介して受信する。ワイヤレスインターフェースは、基地局とＵＥとの間のＵｕインターフェース、および／または基地局の伝送のためのマイクロ波インターフェースを含む。ＬｏＭｏとＵＥとの間のデータベアラは、マクロ基地局とＵＥとの間の上述したインターフェースにより構成される。
【００２８】
データベアラを介してＵＥのユーザプレーンデータを受信した後、ＬｏＭｏは、ＵＥのユーザプレーンデータをコアネットワークエレメントに転送することをマクロ基地局に可能にさせるように、図２におけるマクロ基地局とＬｏＭｏとの間の有線またはワイヤレスインターフェースを介してマクロ基地局にユーザプレーンデータを送信することができる。あるいは、ＵＥのユーザプレーンデータはさらに、図３におけるコアネットワークエレメントとＬｏＭｏとの間のインターフェースを介してコアネットワークエレメントに直接的に送信されることができる。図３におけるコアネットワークエレメントは、サービスゲートウェイＳ−ＧＷである。
【００２９】
ＬｏＭｏがコアネットワークエレメントと直接的にデータ伝送を実行する場合、ＬｏＭｏは、ＬｏＭｏのアドレスをモビリティマネジメントエンティティＭＭＥに知らせる必要がある。ＭＭＥがコアネットワークエレメントに知らせる。ＭＭＥは次に、コアネットワークエレメントのアドレスをマクロ基地局に知らせ、マクロ基地局は、そのアドレスをＬｏＭｏに転送する。上述のアドレスは、トランスポートネットワークレイヤアドレスＴＮＬアドレス、ジェネラルパケット無線サービストンネリングプロトコル−トンネルエンドポイント識別子ＧＴＰ−ＴＥＩＤ、および／またはインターネットプロトコルＩＰアドレスを含むことができる。
【００３０】
ＬｏＭｏとＵＥとの間の無線インターフェースのプロトコルスタックは、パケットデータコンバージェンスプロトコル（ＰＤＣＰ）、無線リンク制御ＲＬＣレイヤプロトコル、媒体アクセス制御ＭＡＣレイヤプロトコル、レイヤ１  Ｌ１プロトコルのみを含むものであってもよく、および／または無線リソース制御ＲＲＣレイヤプロトコルを含まない。すなわち、制御プレーンでは、図４に示すように、単純化されたプロトコルスタックアーキテクチャがＬｏＭｏとＵＥとの間の無線インターフェースのプロトコルスタックのために採用されることができ、たとえば、ＲＲＣプロトコルエンティティは提供されず、ユーザプレーンでは、図５に示すように、オリジナルのユーザプレーンプロトコルスタックＰＤＣＰ／ＲＬＣ／ＭＡＣがＬｏＭｏおよびＵＥのために採用されてもよく、機能のみが調整される。
【００３１】
ＬｏＭｏとＵＥとの間の制御プレーンプロトコルスタックについては、図６に示すように、ＰＤＣＰ、ＲＬＣ、およびＭＡＣがさらに、組み合わされて新たな１つのレイヤエンティティにされてもよい。ＬｏＭｏとＵＥとの間のユーザプレーンプロトコルスタックについては、図７に示すように、ＰＤＣＰ、ＲＬＣ、およびＭＡＣがさらに、組み合わされて新たな１つのレイヤエンティティにされてもよい。
【００３２】
スモールセルがＤ２Ｄ機能を有するＵＥである場合、ステップ１０１の前に、以下のステップがさらに含まれてもよい。ステップ１０４。スモールセルがＵＥの近くにある場合、ＵＥは、サービスを確立するためにマクロ基地局へのＲＲＣ接続を開始する。マクロ基地局は、ＵＥによって要求されたデータがスモールセルに記憶されていると決定する。すなわち、ＵＥによって要求されたデータが近くのスモールセルに存在すると決定された場合、マクロ基地局はスモールセルに対し直接的に、そのデータをＵＥに伝送することを可能にさせる。
【００３３】
上述のコンフィギュレーションメッセージはさらに、静的または半静的な設定リソースのための割り当て情報、静的または半静的な設定リソースでのランダムアクセスのためのリソース割り当て情報、またはランダムアクセスおよびデータスケジューリングのためのリソース割り当て情報を含むことができる。コンフィギュレーションメッセージがランダムアクセスのためのリソース割り当て情報を含むのみである場合、スモールセルがユーザプレーン接続でＵＥとのデータベアラを確立した後、スモールセルが、静的または半静的な設定リソースでのランダムアクセスのためのリソース割り当て情報を、確立されたデータベアラを介してＵＥに送信することがさらに含まれる。コンフィギュレーションメッセージがランダムアクセスおよびデータスケジューリングのための静的または半静的なリソース割り当て情報を含む場合、スモールセルがユーザプレーン接続でＵＥとのデータベアラを確立した後、スモールセルが、静的または半静的な設定リソースでのランダムアクセスおよびデータスケジューリングのためのリソース割り当て情報を、確立されたデータベアラを介してＵＥに送信することがさらに含まれる。リソース割り当て情報に基づいたランダムアクセスまたはランダムアクセスおよびデータスケジューリング中に輻輳が生じた場合、スモールセルが、マクロ基地局からの静的または半静的な設定リソースを再適用すること、または、スモールセルがマクロ基地局に、ＵＥをマクロ基地局にハンドオーバーするように命令すること、または、スモールセルが、リソースの輻輳が生じた新たなアクセスのために動的なスケジューリング手法を採用すること、がさらに含まれる。
【００３４】
マクロ基地局およびＬｏＭｏの機能が以下の表において比較される。ＬｏＭｏの欄は、ＬｏＭｏの単純化できる機能を一覧表示している。
【００３５】
【表１】
0005917691.tif 000002
従来技術と比較すると、本発明の実施形態において提供される方法では、スモールセルがマクロ基地局を介してユーザ装置ＵＥとの無線リソース制御ＲＲＣ接続を確立することができ、マクロ基地局が次にスモールセルを設定するので、ＵＥとのＲＲＣ接続を確立する手順が省かれ、コストが減じられる。次に、スモールセルが、ＵＥとのデータベアラを確立してマクロ基地局とデータトラヒックを共有するので、モバイルブロードバンド通信の帯域幅および容量が増える。
【００３６】
図８は、本発明の実施形態に係るワイヤレスブロードバンド通信のシグナリングインタラクションの図である。この実施形態は、
ステップ８０１。ＵＥは、ＬｏＭｏに直接的にアクセスせず、そのかわりに、ＵＥがサービスを開始する場合、まずマクロ基地局とＲＲＣ接続を確立し、ノーマルな認証および暗号化を実行する。
【００３７】
ステップ８０２。マクロ基地局が、ＵＥでのＲＲＣリコンフィギュレーションを実行して、対応する第２のシグナリング無線ベアラＳＲＢ２、データ無線ベアラＤＲＢ、測定制御設定、等を確立する。ＲＲＣリコンフィギュレーションメッセージ（ＲＲＣリコンフィギュレーション）を受信した後、ＵＥは、無線リソース設定、測定設定、等を含む、最下位レイヤ設定を実行する。
【００３８】
ステップ８０３。マクロ基地局は、ＲＲＣリコンフィギュレーションメッセージ（ＲＲＣリコンフィギュレーション）を送信すると同時に、新たに定義された１つのインターフェース（単純なＩＦ）を介して、ＬｏＭｏの、最下位レイヤのユーザプロトコルスタック（ＰＤＣＰ、ＲＬＣ、およびＭＡＣを含む）または新たに定義されたユーザプレーンエンティティ（新たなＭＡＣ）の設定を完了する必要がある。インターフェース（単純なＩＦ）によって転送されるコンフィギュレーションメッセージは、
無線リソース設定（論理チャネル設定、伝送チャネル設定、および物理チャネル設定）、
測定設定、等
を含む。
【００３９】
特に、屋内のカバレッジのシナリオでは、ＵＥの数が少なく、無線リソース設定は、静的または半静的なＲＡＣＨリソース、および／または静的または半静的な物理伝送リソースであってもよい。静的または半静的なリソースの情報は、ＡＰの下の常駐ユーザのリソース使用状況にしたがって設定される。
【００４０】
ここで、ステップ８０２および８０３は、同時に実行されるか、または順次実行されてもよい。
【００４１】
ステップ８０４。ＵＥおよびＬｏＭｏが、それぞれ、マクロ基地局にコンフィギュレーション応答メッセージをフィードバックする。
【００４２】
インターフェース（単純なＩＦ）によって転送される異なる情報による、３つの選択肢は以下のとおりである。
【００４３】
選択肢１：静的または半静的なＲＡＣＨリソースのみが含まれると、引き続きスケジューリングされた情報は次に、ＬｏＭｏによりＭＡＣ  ＣＥ（ＭＡＣ制御エレメント）を介して知らせられる。
【００４４】
選択肢２：コンフィギュレーションメッセージが、ランダムアクセスおよび引き続いて起こるＵＥのスケジューリングのための静的または半静的なリソースの情報を含むと、リソース割り当てにおいて輻輳が生じた場合、ＬｏＭｏは、マクロ基地局からの半静的なリソースの割り当てを再適用するか、またはＵＥをマクロ基地局にハンドオーバーする。
【００４５】
選択肢３：コンフィギュレーションメッセージが、ランダムアクセスおよび引き続いて起こるＵＥのスケジューリングのための静的な半静的なリソース情報を含むと、引き続いて起こるＵＥのアクセス中にリソースの輻輳が生じた場合、動的なスケジューリング手法が、リソースの輻輳が生じた後のアクセスのために採用される。
【００４６】
ステップ８０５。ＵＥとＬｏＭｏがユーザプレーンベアラを確立する。
【００４７】
を含む。
【００４８】
この実施形態と図１における実施形態との関係は、この実施形態では、スモールセルが、マクロ基地局により有線またはワイヤレスインターフェースを介して送信されるコンフィギュレーションメッセージを受信し、コンフィギュレーションメッセージに基づいて設定を実行することが、スモールセルがマクロ基地局により有線またはワイヤレスインターフェースを介して送信されるユーザプレーンプロトコルコンフィギュレーション情報を受信し、スモールセルがＵＥとのユーザプレーン接続を確立するために無線リソースおよび測定パラメータを設定することを含む、という点に見出される。
【００４９】
従来技術と比較すると、本発明の実施形態において提供される方法では、スモールセルがマクロ基地局を介してユーザ装置ＵＥとの無線リソース制御ＲＲＣ接続を確立することができ、マクロ基地局が次にスモールセルを設定するので、ＵＥとのＲＲＣ接続を確立する手順が省かれ、コストが減じられる。次に、スモールセルがＵＥとのデータベアラを確立してマクロ基地局とデータトラヒックを共有するので、モバイルブロードバンド通信の帯域幅および容量が増える。
【００５０】
図９は、本発明の実施形態に係るワイヤレスブロードバンド通信方法のシグナリングインタラクションの図である。この実施形態は、
ステップ９０１。ＵＥがまず、マクロ基地局とのＲＲＣ接続を確立する。
【００５１】
ステップ９０２。マクロ基地局が、サービスの、サービス品質（ＱｏＳ）、スケジューリングポリシー、および／またはチャネル品質、等にしたがって、１つのセカンダリコンポーネントキャリア（ＳＣＣ）が設定される必要があるかどうかを決定する。
【００５２】
ステップ９０３。マクロ基地局が、専用シグナリングコンフィギュレーションを介してＵＥでのＳＣＣ関連設定を実行する。
【００５３】
ステップ９０４。マクロ基地局が、新たに定義されたインターフェースメッセージを介してＬｏＭｏを設定し、ＬｏＭｏが、マクロ基地局のＳＣＣコンフィギュレーションメッセージを受信する。
【００５４】
ステップ９０５。ＬｏＭｏのＭＡＣ  ＣＥを介してＵＥにアクティベーションメッセージを送信する。
【００５５】
ステップ９０６。アクティベーションメッセージを受信した後、ＵＥが、ＬｏＭｏのランダムアクセスを実行し、新たな第２のセル−無線ネットワーク一時識別子（Ｃ−ＲＮＴＩ２）を得る。
【００５６】
ステップ９０７。ＩＰデータトラヒック分割が、下りリンクデータのためにＬＴＥのマクロ基地局において実行され、音声および映像といった高ＱｏＳ要求を有するサービスが、プライマリコンポーネントキャリアＰＣＣによってさらにスケジューリングされ、物理下りリンク制御チャネル（ＰＤＣＣＨ）スクランブリングが、ＲＲＣ接続によって割り当てられた第１のセル−無線ネットワーク一時識別子Ｃ−ＲＮＴＩ１を採用することによって実行され、低ＱｏＳ要求を有するサービスが、ＳＣＣによって提供され、ｐｄｃｃｈスクランブリングが、ＬｏＭｏのランダムアクセスを介して得られたＣ−ＲＮＴＩ２を採用することによって実行される。
【００５７】
を含む。
【００５８】
この実施形態と図１の実施形態との関係は、この実施形態では、スモールセルが、マクロ基地局により有線またはワイヤレスインターフェースを介して送信されるコンフィギュレーションメッセージを受信し、コンフィギュレーションメッセージに基づいて設定を実行することが、スモールセルがマクロ基地局により有線またはワイヤレスインターフェースを介して送信されるＳＣＣコンフィギュレーション情報を受信し、スモールセルがＵＥとのユーザプレーン接続を確立するためにＳＣＣを設定することを含む、という点に見出される。
【００５９】
この実施形態では、ＰＣＣとＳＣＣとの間の相関関係は永続的であり、すなわち、ＵＥとマクロ基地局との間のリンクは常にＰＣＣであり、ＵＥとＬｏＭｏとの間のリンクは常にＳＣＣである。
【００６０】
従来技術と比較すると、本発明の実施形態において提供される方法では、スモールセルが、マクロ基地局を介してユーザ装置ＵＥとの無線リソース制御ＲＲＣ接続を確立することができ、マクロ基地局が次に、スモールセルを設定するので、ＵＥとのＲＲＣ接続を確立する手順が省かれ、コストが減じられる。次に、スモールセルがＵＥとのデータベアラを確立してマクロ基地局とデータトラヒックを共有するので、モバイルブロードバンド通信の帯域幅および容量が増える。
【００６１】
図１０は、本発明の実施形態に係る別のワイヤレスブロードバンド通信方法のフローチャートである。この実施形態は、
ステップ１００１。スモールセルが、アイドル状態のＵＥにより第１のメッセージにおいて送信される同期信号プリアンブルを受信し、スモールセルが、そのプリアンブルが専用プリアンブルであると決定し、および／または、スモールセルが、単純化されたＲＲＣ手順を使用するディスプレイインジケーションを受信する。
【００６２】
ステップ１００２。スモールセルが、第２のメッセージインジケーション情報において、第１のシグナリング無線ベアラＳＲＢ１および／または第２のシグナリング無線ベアラＳＲＢ２が再確立または変更される必要がないことについて応答する。
【００６３】
ステップ１００３。スモールセルを介してネットワークにアクセスするようＵＥに命令する。
【００６４】
を含む。
【００６５】
本発明のこの実施形態における実行主体は、スモールセルである。スモールセルは、ピコセル（ピコ）、フェムトセル（フェムト）、または他のローカルワイヤレスアクセスポイントＡＰおよび低モビリティセル（低モビリティ、ＬｏＭｏ）であってもよい。この実施形態では、たとえば、スモールセルはＬｏＭｏである。
【００６６】
本発明の実施形態において、ＬｏＭｏは、マクロ基地局のカバレッジホールに位置し得る。ＵＥは、ＬｏＭｏ上に別個に存在し得る。
【００６７】
図１１に示すように、マクロ基地局は、有線またはワイヤレスインターフェースを介してＬｏＭｏに接続される。有線インターフェースは、基地局とモビリティマネジメントエンティティＭＭＥとの間のＳ１インターフェース、および／または基地局間のＸ２インターフェース、および／または共通公衆無線インターフェースＣＰＲＩ、および／またはワイヤレスネットワークコントローラと基地局との間のＩｕｂインターフェースを含み得る。ＬｏＭｏは、マクロ基地局により有線またはワイヤレスインターフェースを介して送信されるコンフィギュレーションメッセージを、そのようなインターフェースを介して受信する。ワイヤレスインターフェースは、基地局とＵＥとの間のＵｕインターフェース、および／または基地局の伝送のためのマイクロ波インターフェースを含む。ＬｏＭｏはまた、マクロ基地局なしに無線インターフェースを介してＵＥに接続されることができ、そのようなインターフェースが、ＵＥとＬｏＭｏとの間のシグナリングおよびデータベアラを担う。
【００６８】
ＬｏＭｏは、データベアラを介してＵＥのユーザプレーンデータを受信した後、マクロ基地局がＵＥのユーザプレーンデータをコアネットワークエレメントに転送するように、図１１におけるマクロ基地局とＬｏＭｏとの間の有線またはワイヤレスインターフェースを介してマクロ基地局にユーザプレーンデータを送信してもよい。または、さらに、ＵＥのユーザプレーンデータを、図１２におけるコアネットワークエレメントとＬｏＭｏとの間のインターフェースを介してコアネットワークエレメントに直接的に送信してもよい。図１２におけるコアネットワークエレメントは、サービスゲートウェイＳ−ＧＷである。
【００６９】
ＬｏＭｏがコアネットワークエレメントと直接的にデータ伝送を実行する場合、ＬｏＭｏは、ＬｏＭｏのアドレスをモビリティマネジメントエンティティＭＭＥに知らせる必要がある。ＭＭＥがコアネットワークエレメントに知らせる。ＭＭＥは次に、コアネットワークエレメントのアドレスをマクロ基地局に知らせ、マクロ基地局は、そのアドレスをＬｏＭｏに転送する。上述のアドレスは、ＴＮＬアドレス、ＧＴＰ−ＴＥＩＤ、および／またはインターネットプロトコルＩＰアドレスを含むことができる。
【００７０】
ＬｏＭｏとＵＥとの間のエアインターフェースのプロトコルスタックは、以下のみを含むものであってもよい。すなわち、制御プレーンでは、図１３に示すように、単純化されたプロトコルスタックアーキテクチャがＬｏＭｏとＵＥとの間の無線インターフェースのプロトコルスタックのために採用されることができ、たとえば、単純化されたＲＲＣプロトコルエンティティが提供される。機能については、図１０に示した単純化されたＲＲＣ手順が採用され得る。ユーザプレーンでは、オリジナルのユーザプレーンプロトコルスタックＰＤＣＰ／ＲＬＣ／ＭＡＣがＬｏＭｏおよびＵＥのために採用されることができ、機能のみが合わせられる。プロトコルスタックは、図１４に示され、機能の単純化された部分は、表１に示される。
【００７１】
ＬｏＭｏとＵＥとの間の制御プレーンプロトコルスタックはさらに、図１５に示すように、ＰＤＣＰ、ＲＬＣ、およびＭＡＣを組み合わせて新たなレイヤエンティティにすることができる。ＬｏＭｏとＵＥとの間のユーザプレーンプロトコルスタックはさらに、図１６に示すように、ＰＤＣＰ、ＲＬＣ、およびＭＡＣを組み合わせて新たなレイヤエンティティにすることができる。
【００７２】
上述のネットワーク構成は、論理チャネル設定、シグナリング無線ベアラＳＲＢ設定、ＭＡＣレイヤ設定、半静的なスケジューリング設定、物理チャネル設定、およびＲＲＣメッセージタイマーパラメータ、のうちの少なくとも１つを含む。
【００７３】
スモールセル間のハンドオーバー、またはスモールセルからマクロ基地局へのハンドオーバー、またはマクロ基地局からスモールセルへのハンドオーバーが実行される必要がある場合、スモールセルを介してネットワークにアクセスするようＵＥに命令することの後に、以下のステップがさらに含まれる。
【００７４】
ステップ１００４。スモールセルが、マクロ基地局によって送信される測定制御情報を受信し、測定制御情報をＵＥに転送する。
【００７５】
ステップ１００５。ＵＥによってフィードバックされる測定報告を受信し、測定報告をマクロ基地局に転送する。
【００７６】
ステップ１００６。マクロ基地局が、ハンドオーバーが実行される必要があると判定した場合、マクロ基地局によって送信されるハンドオーバー命令が受信される必要がある。
【００７７】
本発明の実施形態において提供される方法では、スモールセルは、ＵＥによって送信されるプリアンブルまたはディスプレイインジケーションを決定することによって、ＵＥがＳＲＢ１および／またはＳＲＢ２を再確立または変更する必要があるかどうかを学習し、ないと決定された場合、ＳＲＢ１および／またはＳＲＢ２が再確立または変更される必要がないことを直接的に応答し、ネットワークにアクセスするようＵＥに命令するので、ＳＲＢ１および／またはＳＲＢ２を確立する手順が省かれ、コストが減じられる。次に、ＵＥが、スモールセルを介してネットワークにアクセスし、マクロ基地局とデータトラヒックを共有するので、モバイルブロードバンド通信の帯域幅および容量が増える。
【００７８】
図１７は、本発明の実施形態に係る別のワイヤレスブロードバンド通信方法のシグナリングインタラクションの図である。この実施形態は、
ステップ１７０１。ＵＥが、ＬｏＭｏにアクセスし、ＬｏＭｏにプリアンブルまたはディスプレイインジケーションを送信する。
【００７９】
ステップ１７０２。ＬｏＭｏが、ＳＲＢ１および／またはＳＲＢ２が再確立または変更される必要がないと決定する。
【００８０】
ステップ１７０３。ＬｏＭｏが、ＳＲＢ１および／またはＳＲＢ２が再確立または変更される必要がないことをフィードバックする。
【００８１】
ステップ１７０４。ＵＥが、ネットワークにアクセスし、１つの上りリンクＲＲＣメッセージを介して、ネットワーク接続が確立されたことを通知し、上りリンクＲＲＣメッセージは、接続要求原因、常駐ＰＬＭＮネットワーク、等を搬送することを含む。
【００８２】
を含む。
【００８３】
ＵＥのための低モビリティかつ屋内のカバレッジのシナリオを考慮すると、ＵＥの状態およびネットワークの状態は両者ともおそらくそれほど変化しないので、論理チャネル設定（伝送モード、論理チャネルプライオリティレベル、等）、ＳＲＢ設定（論理チャネル数、ＲＬＣのコンフィギュレーションパラメータ、論理チャネルグループ、論理チャネルプライオリティレベル、プライオリティビットレート、等）、ＭＡＣレイヤ設定（ＴＴＩバンドリングＴＴＩバンドリングがサポートされているかどうかといった設定、ＨＡＲＱ最大再送回数、バッファステータスレポートＢＳＲ、電力ヘッドルームレポートＰＨＲ、間欠受信ＤＲＸ）、半静的なスケジューリング設定、物理チャネル設定、およびいくつかのＲＲＣメッセージのタイマーパラメータを含む、多くの設定のために、デフォルトの設定が採用されることができる。
【００８４】
ＵＥが最初にコンフィギュレーションを取得するためにＬｏＭｏに入った後、ＵＥは、次回の使用のためにそのコンフィギュレーションを記憶する。次回のアクセスに関し、ＵＥの状態およびネットワークの状態は両者とも少ししか変化しないので、ＲＲＣ接続を確立する手順は、著しく単純化されることができる。
【００８５】
アイドル状態におけるユーザが、ＬｏＭｏにアクセスし、専用ランダムアクセスまたはディスプレイインジケーションを開始する。ＬｏＭｏは、専用プリアンブルコードにしたがってＵＥを識別することができる。
【００８６】
ＬｏＭｏは、ＵＥの識別にしたがって、ランダムアクセス応答メッセージ（ランダムアクセス応答）を応答し、メッセージにおいて、ＳＲＢ１および／またはＳＲＢ２の設定が変化するかどうかを表すためのビットが使用される。ＵＥは、ビットにしたがって、デフォルトの設定がＵＥの専用リソースコンフィギュレーションのために使用され得るかどうかを決定する。
【００８７】
コンフィギュレーションが同一である場合、それは、ＵＥがＳＲＢ１および／またはＳＲＢ２を再確立する必要がないことを示す。ランダムアクセスが完了した後、ＵＥは、上りリンクＲＲＣメッセージを直接的に送信することができ、ＲＲＣ接続を再度処理する必要はない。そのような上りリンクＲＲＣメッセージは、新たなメッセージであることができ、または、既存のＲＲＣ接続完了（ＲＲＣ  ｃｏｎｎｅｃｔｉｏｎ  ｃｏｍｐｌｅｔｅ）メッセージ、またはＵＥのＩＤ、確立の原因、選択されたキャリアネットワークＰＬＭＮ、専用ＮＡＳメッセージ、等を含むＲＲＣ接続要求（ＲＲＣ  ｃｏｎｎｅｃｔｉｏｎ  ｒｅｑｕｅｓｔ）メッセージを再利用することもできる。変更手順は、以下の図面において示される。
【００８８】
ハンドオーバーが行われる場合、以下のハンドオーバータイプのすべてのために、図１１および図１２に示すようなハンドオーバー判定およびアドミッション制御が、マクロ基地局で行われる。
【００８９】
ＬｏＭｏからマクロ基地局へのハンドオーバー、
マクロ基地局からＬｏＭｏへのハンドオーバー、および
ＬｏＭｏから別の別のＬｏＭｏへのハンドオーバー。
【００９０】
ＵＥがＬＴＥ  ＬｏＭｏからＬＴＥマクロ基地局にハンドオーバーされる処理では、ＬＴＥマクロ基地局がまず、ＬＴＥ  ＬｏＭｏに、新たなインターフェースが含まれた測定制御（新たなＩＦが含まれたＭｅａｓｕｒｅｍｅｎｔ  Ｃｏｎｔｒｏｌ）メッセージを送信する。ＬＴＥ  ＬｏＭｏが次に、測定制御（Ｍｅａｓｕｒｅｍｅｎｔ  Ｃｏｎｔｒｏｌ）メッセージを送信して、測定を実行して測定報告を送信するよう、対応するＵＥを制御する。対応する測定報告を受信した後、ＬＴＥ  ＬｏＭｏは、ＬＴＥマクロ基地局に、新たなインターフェースが含まれた測定報告（新たなＩＦメッセージが含まれたＭｅａｓｕｒｅｍｅｎｔ  Ｃｏｎｔｒｏｌ）を送信する。ＬＴＥマクロ基地局は、ハンドオーバー判定を実行し、ＵＥのアクセスが許可された場合、新たなインターフェースが含まれたハンドオーバーコマンド（新たなＩＦメッセージが含まれたＨａｎｄｏｖｅｒ  Ｃｏｍｍａｎｄ）をＬＴＥ  ＬｏＭｏに送信する。ＬＴＥ  ＬｏＭｏは、ハンドオーバーコマンド（Ｈａｎｄｏｖｅｒ  Ｃｏｍｍａｎｄ）を対応するＵＥに送信する。ＵＥは、対応するＬＴＥマクロ基地局のカバレッジにハンドオーバーされる。ＬＴＥマクロ基地局との接続が確立された後、ＬＴＥマクロ基地局は、対応するリソースを解放するようＬｏＭｏに命令する。
【００９１】
ＵＥがＬＴＥマクロ基地局からＬＴＥ  ＬｏＭｏにハンドオーバーされる処理では、ＬＴＥマクロ基地局がまず、測定制御メッセージを送信して、測定を実行して測定報告を送信するよう、対応するＵＥを制御し、次に、対応するＬｏＭｏの負荷状況をさらに取得し、ハンドオーバー判定を実行し、ＬｏＭｏに対応するハンドオーバーが必要とされることが確定した場合、対応するＵＥおよびＬｏＭｏにハンドオーバーコマンドを送信することができる。ＵＥが次に、ハンドオーバー確定（Ｈａｎｄｏｖｅｒ  Ｃｏｎｆｉｒｍ）をＬｏＭｏに送信する。対応するメッセージを受信した後、ＬｏＭｏは、リソース解放要求（Ｒｅｓｏｕｒｃｅ  Ｒｅｌｅａｓｅ  Ｒｅｑｕｅｓｔ）をＬＴＥマクロ基地局に送信する。最後に、ＬＴＥマクロ基地局が、対応するリソースを解放する。
【００９２】
本発明の実施形態において提供される方法では、スモールセルは、ＵＥによって送信されるプリアンブルを決定することによって、ＵＥがＳＲＢ１および／またはＳＲＢ２を再確立または変更する必要があるかどうかを学習し、ないと決定された場合、ＳＲＢ１および／またはＳＲＢ２が再確立または変更される必要がないことを直接的に応答し、ネットワークにアクセスするようＵＥに命令するので、ＳＲＢ１および／またはＳＲＢ２を確立する手順が省かれ、コストが減じられる。ＵＥが次に、スモールセルを介してネットワークにアクセスし、マクロ基地局とデータトラヒックを共有するので、モバイルブロードバンド通信の帯域幅および容量が増える。
【００９３】
図１８は、本発明の実施形態に係るワイヤレスブロードバンド通信のためのスモールセルの構成図である。この実施形態は、
第１の接続確立モジュール１８０１が、マクロ基地局を介してユーザ装置ＵＥとの無線リソース制御ＲＲＣ接続を確立するように構成される。
【００９４】
コンフィギュレーションメッセージ受信モジュール１８０２が、第１の接続確立モジュールがＲＲＣ接続を確立した後、マクロ基地局により有線またはワイヤレスインターフェースを介して送信されるコンフィギュレーションメッセージを受信するように構成される。
【００９５】
第１の接続およびベアラ確立モジュール１８０３が、ＲＲＣ接続およびコンフィギュレーションメッセージ受信モジュールによって受信されたコンフィギュレーションメッセージに基づいて、スモールセルとＵＥとの間のユーザプレーンを確立し、ユーザプレーン接続でＵＥとのデータベアラを確立するように構成される。
【００９６】
を含む。
【００９７】
本発明のこの実施形態におけるスモールセルは、図１、図８、または図９に示す対応する実施形態における方法を実行するように構成されてもよい。
【００９８】
本発明の実施形態におけるスモールセルでは、
コンフィギュレーションメッセージ受信モジュールが、
第１の接続確立モジュールがＲＲＣ接続を確立した後、マクロ基地局により有線またはワイヤレスインターフェースを介して送信されるユーザプレーンプロトコルコンフィギュレーション情報を受信する
ように適合し得るので、スモールセルはさらに、
コンフィギュレーションメッセージ受信モジュールによって受信されたユーザプレーンプロトコルコンフィギュレーション情報にしたがってＵＥとのユーザプレーン接続を確立するために、無線リソースおよび測定パラメータを構成するように適合した、無線リソースおよび測定パラメータ設定モジュール
を含むか、または、コンフィギュレーションメッセージ受信モジュールが、
マクロ基地局により有線またはワイヤレスインターフェースを介して送信されるセカンダリコンポーネントキャリアＳＣＣ設定情報を受信する
ように適合するので、スモールセルはさらに、
コンフィギュレーションメッセージ受信モジュールによって受信されたセカンダリコンポーネントキャリアＳＣＣ設定情報にしたがってＵＥとのユーザプレーン接続を確立するために、セカンダリコンポーネントキャリアＳＣＣをアクティブにするように構成された、アクティベーションモジュール
を含む。
【００９９】
本発明のこの実施形態におけるスモールセルはさらに、
データ伝送モジュール１８０４が、第１の接続およびベアラ確立モジュールによって確立されたデータベアラを介して、ＵＥとコアネットワークエレメントとの間でユーザプレーンデータを伝送するように構成される。
【０１００】
ことを含むことができ、ＵＥとコアネットワークエレメントとの間でユーザプレーンデータが、スモールセルを介して直接的に伝送されるか、または、
ＵＥとコアネットワークエレメントとの間でユーザプレーンデータが、ＵＥ、スモールセル、マクロ基地局、およびコアネットワークエレメントの経路を介して、伝送される。
【０１０１】
本発明のこの実施形態におけるスモールセルでは、
有線インターフェースは、以下のうちの、任意の１つ、またはいくつかの任意の組み合わせを含み得る。
【０１０２】
基地局とモビリティマネジメントエンティティＭＭＥとの間のＳ１インターフェース、基地局間のＸ２インターフェース、共通公衆無線インターフェースＣＰＲＩ、およびワイヤレスネットワークコントローラと基地局との間のＩｕｂインターフェース。
【０１０３】
ワイヤレスインターフェースは、
基地局とＵＥとの間のＵｕインターフェース、および／または基地局の伝送のためのマイクロ波インターフェースを含み得る。
【０１０４】
本発明のこの実施形態におけるスモールセルでは、スモールセルとＵＥとの間の無線インターフェースのプロトコルスタックは、
パケットデータコンバージェンスプロトコルＰＤＣＰ、無線リンク制御ＲＬＣレイヤプロトコル、媒体アクセス制御ＭＡＣレイヤプロトコル、およびレイヤ１Ｌ１プロトコルを含むのみであり、および／または
無線リソース制御ＲＲＣレイヤプロトコルを含まない。
【０１０５】
本発明のこの実施形態におけるスモールセルでは、コンフィギュレーションメッセージ受信モジュールはさらに、
第１の接続確立モジュールがＲＲＣ接続を確立した後、静的または半静的な設定リソースの割り当て情報を受信し、
第１の接続確立モジュールがＲＲＣ接続を確立した後、静的または半静的な設定リソースでのランダムアクセスのためのリソース割り当て情報、またはランダムアクセスおよびデータスケジューリングのためのリソース割り当て情報を受信する
ように構成されてもよい。
【０１０６】
コンフィギュレーションメッセージ受信モジュールがランダムアクセスのためのリソース割り当て情報を受信するように構成される場合、本発明のこの実施形態におけるスモールセルはさらに、
割り当て情報送信モジュール１８０５が、確立されたデータベアラを介して静的または半静的な設定リソースでのデータスケジューリングのためのリソース割り当て情報をＵＥに送信するように適合する。
【０１０７】
を含み得る。
【０１０８】
本発明のこの実施形態におけるスモールセルでは、割り当て情報送信モジュールはさらに、
確立されたデータベアラを介して静的または半静的な設定リソースでのランダムアクセスのためのリソース割り当て情報をＵＥに送信する
ように構成されてもよい。
【０１０９】
本発明のこの実施形態におけるスモールセルはさらに、
コンフィギュレーションメッセージ受信モジュールによって受信されたリソース割り当て情報に基づいてランダムアクセスを実行するように構成されるか、または、ランダムアクセスおよびデータスケジューリングにおいて輻輳が生じた場合、マクロ基地局からの静的または半静的な設定リソースを再適用する、再適用モジュール１８０６、または
コンフィギュレーションメッセージ受信モジュールによって受信されたリソース割り当て情報に基づいてランダムアクセスを実行するか、または、ランダムアクセスおよびデータスケジューリングにおいて輻輳が生じた場合、ＵＥをマクロ基地局にハンドオーバーするようマクロ基地局に命令するように適合した、ハンドオーバー命令モジュール１８０７、または
コンフィギュレーションメッセージ受信モジュールによって受信されたリソース割り当て情報に基づいてランダムアクセスを実行するか、または、ランダムアクセスおよびデータスケジューリングにおいて輻輳が生じた場合、リソースの輻輳が生じた新たなアクセスのために動的なスケジューリング手法を採用するように適合した、動的なスケジューリングモジュール１８０８
を含み得る。
【０１１０】
本発明のこの実施形態におけるスモールセルにおいて、スモールセルは、以下のうちの任意の１つを含み得る。
【０１１１】
ピコセルピコ、フェムトセルフェムト、低モビリティセルＬｏＭｏ、ローカルワイヤレスアクセスポイントＡＰ、デバイスツーデバイスＤ２Ｄ機能を有するＵＥ、および低電力ノード低電力ノード。
【０１１２】
従来技術と比較すると、本発明のこの実施形態において提供されるスモールセルでは、マクロ基地局がユーザ装置ＵＥとの無線リソース制御ＲＲＣ接続を確立し、マクロ基地局が次にスモールセルを設定するので、ＵＥとのＲＲＣ接続を確立する手順が省かれ、コストが減じられる。次に、スモールセルがＵＥとのデータベアラを確立して、マクロ基地局とデータトラヒックを共有するので、モバイルブロードバンド通信の帯域幅および容量が増える。
【０１１３】
図１９は、本発明の実施形態に係るワイヤレスブロードバンド通信のための別のスモールセルの構造図である。この実施形態は、
同期信号受信モジュール１９０１が、アイドル状態のＵＥにより第１のメッセージにおいて送信される同期信号プリアンブルを受信するよう構成され、スモールセルが、プリアンブルが専用プリアンブルであると決定し、および／または、ディスプレイインジケーション受信モジュールが、単純化されたＲＲＣ手順を使用するディスプレイインジケーションを受信するように構成される。
【０１１４】
応答モジュール１９０２が、第２のメッセージインジケーション情報において、第１のシグナリング無線ベアラＳＲＢ１および／または第２のシグナリング無線ベアラＳＲＢ２が再確立または変更される必要がないことについて、応答するように構成される。
【０１１５】
命令モジュール１９０３が、スモールセルを介してネットワークにアクセスするようＵＥに命令するように構成される。
【０１１６】
を含む。
【０１１７】
本発明のこの実施形態におけるスモールセルは、さらに、
ユーザプレーンデータ受信モジュール１９０４が、ＵＥのユーザプレーンデータを受信するように構成される。
【０１１８】
ユーザプレーンデータ送信モジュール１９０５が、マクロ基地局がＵＥのユーザプレーンデータをコアネットワークエレメントに転送するように、ＵＥのユーザプレーンデータをマクロ基地局に送信するように構成されるか、または、ＵＥのユーザプレーンデータをコアネットワークエレメントに送信するように構成される。
【０１１９】
を含み得る。
【０１２０】
本発明のこの実施形態におけるスモールセルはさらに、
測定制御情報転送モジュール１９０６が、マクロ基地局によって送信される測定制御情報を受信し、測定制御情報をＵＥに転送するように構成される。
【０１２１】
測定報告転送モジュール１９０７が、ＵＥによってフィードバックされる測定報告を受信し、測定報告をマクロ基地局に転送するように構成される。
【０１２２】
ハンドオーバー命令受信モジュール１９０８が、マクロ基地局がハンドオーバーが必要であると判定した場合、マクロ基地局によって送信されるハンドオーバー命令を受信するように構成される。
【０１２３】
を含み得る。
【０１２４】
本発明のこの実施形態におけるスモールセルは、以下のうちの任意の１つを含み得る。
【０１２５】
ピコセルピコ、フェムトセルフェムト、低モビリティセルＬｏＭｏ、およびローカルワイヤレスアクセスポイントＡＰ。
【０１２６】
本発明のこの実施形態において提供されるスモールセルでは、ＵＥによって送信されるプリアンブルを決定することによって、ＵＥがＳＲＢ１および／またはＳＲＢ２を再確立または変更する必要があるかどうかが学習され、ないと決定された場合、ＳＲＢ１および／またはＳＲＢ２が再確立または変更される必要がないことが直接的に応答され、ＵＥが、ネットワークにアクセスするよう命令されるので、ＳＲＢ１および／またはＳＲＢ２を確立する手順が省かれ、コストが減じられる。ＵＥが次に、スモールセルを介してネットワークにアクセスし、マクロ基地局とデータトラヒックを共有するので、モバイルブロードバンド通信の帯域幅および容量が増える。
【０１２７】
図２０は、本発明の実施形態に係るワイヤレスブロードバンド通信のためのマクロ基地局の構成図である。この実施形態は、
第２の接続確立モジュール２００１が、ＵＥとの無線リソース制御ＲＲＣ接続を確立するように適合する。
【０１２８】
コンフィギュレーションメッセージ送信モジュール２００２が、第２の接続確立モジュールがＲＲＣ接続を確立した後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してスモールセルにコンフィギュレーションメッセージを送信するように適合する。
【０１２９】
を含む。
【０１３０】
本発明のこの実施形態におけるマクロ基地局は、図２５に示す対応する実施形態における方法を実行するように構成されてもよい。
【０１３１】
本発明のこの実施形態におけるマクロ基地局では、コンフィギュレーションメッセージ送信モジュールが、
第２の接続確立モジュールがＲＲＣ接続を確立した後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してユーザプレーンプロトコルコンフィギュレーション情報を送信するか、または
第２の接続確立モジュールがＲＲＣ接続を確立した後、ワイヤレスインターフェースを介して有線またはワイヤレスインターフェースを介してＵＥにＲＲＣリコンフィギュレーションメッセージを送信し、スモールセルがＵＥとのユーザプレーン接続を確立するように、セカンダリコンポーネントキャリアＳＣＣコンフィギュレーション情報を送信する
ように構成されてもよい。
【０１３２】
本発明のこの実施形態におけるマクロ基地局では、
有線インターフェースが、以下のうちの、任意の１つ、またはいくつかの任意の組み合わせを含み得る。
【０１３３】
基地局とモビリティマネジメントエンティティＭＭＥとの間のＳ１インターフェース、基地局間のＸ２インターフェース、共通公衆無線インターフェースＣＰＲＩ、およびワイヤレスネットワークコントローラと基地局との間のＩｕｂインターフェース。
【０１３４】
ワイヤレスインターフェースは、
基地局とＵＥとの間のＵｕインターフェース、および／または基地局の伝送のためのマイクロ波インターフェースを含み得る。
【０１３５】
本発明のこの実施形態におけるマクロ基地局において、コンフィギュレーションメッセージ送信モジュールはさらに、
第２の接続確立モジュールがＲＲＣ接続を確立した後、静的または半静的な設定リソースの割り当て情報を送信し、
第２の接続確立モジュールがＲＲＣ接続を確立した後、静的または半静的な設定リソースでのランダムアクセスのためのリソース割り当て情報、またはランダムアクセスおよびデータスケジューリングのためのリソース割り当て情報を送信する
ように構成されてもよい。
【０１３６】
本発明のこの実施形態におけるマクロ基地局はさらに、
スモールセルからの静的または半静的な設定リソースのための適用を受信するように構成された、適用受信モジュール２００３、または
ＵＥをマクロ基地局にハンドオーバーする命令を受信するように構成された、ハンドオーバー命令受信モジュール２００４
を含み得る。
【０１３７】
従来技術と比較すると、本発明のこの実施形態において提供されるマクロ基地局は、ピコセルがＵＥとのデータベアラを確立するように、ＵＥとピコセルとの間のＲＲＣ接続を確立し、次にスモールセルを設定することができ、ピコセルはマクロ基地局のデータトラヒックを共有するので、モバイルブロードバンド通信の帯域幅および容量は増え、システムの全コストは低い。
【０１３８】
図２１は、本発明の実施形態に係るＵＥの構成図である。この実施形態は、
第３の接続確立モジュール２１０１が、マクロ基地局との無線リソース制御ＲＲＣ接続を確立するように構成される。
【０１３９】
リコンフィギュレーションメッセージ受信モジュール２１０２が、第３の接続確立モジュールがＲＲＣ接続を確立した後、マクロ基地局によってＵＥに送信されるＲＲＣリコンフィギュレーションメッセージを受信するように適合する。
【０１４０】
第２の接続およびベアラ確立モジュール２１０３が、リコンフィギュレーションメッセージ受信モジュールによって受信されたＲＲＣリコンフィギュレーションメッセージに基づいてスモールセルとのユーザプレーン接続を確立し、ユーザプレーン接続でスモールセルとのデータベアラを確立するように構成される。
【０１４１】
を含む。
【０１４２】
本発明のこの実施形態におけるＵＥは、図２６に示す対応する実施形態における方法を実行するように構成されてもよい。
【０１４３】
本発明のこの実施形態におけるユーザ装置では、スモールセルとＵＥとの間の無線インターフェースのプロトコルスタックは、
パケットデータコンバージェンスプロトコルＰＤＣＰ、無線リンク制御ＲＬＣレイヤプロトコル、媒体アクセス制御ＭＡＣレイヤプロトコル、およびレイヤ１Ｌ１プロトコルを含むのみであり、および／または
無線リソース制御ＲＲＣレイヤプロトコルを含まない。
【０１４４】
従来技術と比較すると、本発明のこの実施形態において提供されるＵＥは、マクロ基地局を介してピコセルとのＲＲＣ接続を確立し、ピコセルがマクロ基地局のデータトラヒックを共有するように、ＲＲＣリコンフィギュレーションを介してピコセルとのユーザプレーン接続を確立することができるので、モバイルブロードバンド通信の帯域幅および容量は増え、システムの全コストは低い。
【０１４５】
図２２は、本発明の実施形態に係る別のＵＥの構成図である。この実施形態は、
同期信号送信モジュール２２０１が、アイドル状態で第１のメッセージにおいて同期信号プリアンブルを送信するように適合し、および／または、ディスプレイインジケーション送信モジュールが、単純化されたＲＲＣ手順を使用するディスプレイインジケーションを送信するように構成される。
【０１４６】
応答受信モジュール２２０２が、第２のメッセージにおいて、第１のシグナリング無線ベアラＳＲＢ１および／または第２のシグナリング無線ベアラＳＲＢ２が再確立または変更される必要がないことについてのインジケーション情報を受信するように構成される。
【０１４７】
命令受信モジュール２２０３が、ＵＥにネットワークにアクセスさせる命令を受信するように構成される。
【０１４８】
を含む。
【０１４９】
本発明のこの実施形態において提供されるＵＥは、プリアンブルを送信することによって、スモールセルに、ＵＥがＳＲＢ１および／またはＳＲＢ２を再確立または変更する必要があるかどうかを学習することを可能にさせ、ないと決定された場合、ＳＲＢ１および／またはＳＲＢ２が再確立または変更される必要がないとの応答、およびＵＥにネットワークにアクセスさせる命令を受信するので、ＳＲＢ１および／またはＳＲＢ２を確立する手順が省かれ、コストが減じられる。ＵＥが次に、スモールセルを介してネットワークにアクセスし、マクロ基地局とデータトラヒックを共有するので、モバイルブロードバンド通信の帯域幅および容量が増える。
【０１５０】
図２３は、本発明の実施形態に係るワイヤレスブロードバンド通信システムの構成図である。この実施形態は、
スモールセル２３０１が、マクロ基地局を介してユーザ装置ＵＥとの無線リソース制御ＲＲＣ接続を確立し、第１の接続確立モジュールがＲＲＣ接続を確立した後、マクロ基地局により有線またはワイヤレスインターフェースを介して送信されるコンフィギュレーションメッセージを受信し、ＲＲＣ接続およびコンフィギュレーションメッセージ受信モジュールによって受信されたコンフィギュレーションメッセージに基づいて、スモールセルとＵＥとの間のユーザプレーン接続を確立し、ユーザプレーン接続でＵＥとのデータベアラを確立するように構成される。
【０１５１】
基地局２３０２が、ＵＥとの無線リソース制御ＲＲＣ接続を確立し、第２の接続確立モジュールがＲＲＣ接続を確立した後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してスモールセルにコンフィギュレーションメッセージを送信するように構成される。
【０１５２】
ことを含む。
【０１５３】
本発明のこの実施形態のスモールセルは、図１８の対応する実施形態において説明されたスモールセルであり得る。本発明のこの実施形態のマクロ基地局は、図２０の対応する実施形態において説明されたマクロ基地局であってもよい。本発明のこの実施形態のＵＥは、図２１の対応する実施形態において説明されたＵＥであってもよい。
【０１５４】
従来技術と比較すると、本発明のこの実施形態において提供されるシステムでは、スモールセルがマクロ基地局を介してユーザ装置ＵＥとの無線リソース制御ＲＲＣ接続を確立することができ、マクロ基地局が次にスモールセルを設定するので、ＵＥとのＲＲＣ接続を確立する手順が省かれ、コストが減じられる。次に、スモールセルがＵＥとのデータベアラを確立してマクロ基地局とデータトラヒックを共有するので、モバイルブロードバンド通信の帯域幅および容量が増える。
【０１５５】
図２４は、本発明の実施形態に係る別のワイヤレスブロードバンド通信システムの構成図である。この実施形態は、
スモールセル２４０１が、アイドル状態のＵＥにより第１のメッセージにおいて送信される同期信号プリアンブルを受信するように構成され、スモールセルが、そのプリアンブルが専用プリアンブルであると決定し、および／または、ディスプレイインジケーション受信モジュールが、単純化されたＲＲＣ手順を使用するディスプレイインジケーションを受信するように構成され、スモールセル２４０１が、第２のメッセージインジケーション情報において、第１のシグナリング無線ベアラＳＲＢ１および／または第２のシグナリング無線ベアラＳＲＢ２が再確立または変更される必要がないことについて応答し、スモールセルを介してネットワークにアクセスするようＵＥに命令するように構成される。
【０１５６】
ユーザ装置２４０２が、アイドル状態で第１のメッセージにおいて同期信号プリアンブルを送信するように構成され、および／または、ディスプレイインジケーション送信モジュールが、単純化されたＲＲＣ手順を使用するディスプレイインジケーションを送信するように構成され、ユーザ装置２４０２が、第２のメッセージにおいて、第１のシグナリング無線ベアラＳＲＢ１および／または第２のシグナリング無線ベアラＳＲＢ２が再確立または変更される必要がないことについてのインジケーション情報を受信し、ＵＥにスモールセルを介してネットワークにアクセスさせる命令を受信するように構成される。
【０１５７】
ことを含む。
【０１５８】
本発明のこの実施形態において提供されるシステムでは、スモールセルが、ＵＥによって送信されるプリアンブルを決定することによって、ＵＥがＳＲＢ１および／またはＳＲＢ２を再確立または変更する必要があるかどうかを学習し、ないと決定された場合、ＳＲＢ１および／またはＳＲＢ２が再確立または変更される必要がないことを直接的に応答し、ネットワークにアクセスするようＵＥに命令するので、ＳＲＢ１および／またはＳＲＢ２を確立する手順が省かれ、コストが減じられる。ＵＥが次に、スモールセルを介してネットワークにアクセスし、マクロ基地局とデータトラヒックを共有するので、モバイルブロードバンド通信の帯域幅および容量が増える。
【０１５９】
図２５は、本発明の実施形態に係る別のワイヤレスブロードバンド通信方法のフローチャートである。この実施形態は、
ステップ２５０１。マクロ基地局が、ＵＥとの無線リソース制御ＲＲＣを確立する。
【０１６０】
ステップ２５０２。マクロ基地局が、ＲＲＣ接続を確立した後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してスモールセルにコンフィギュレーションメッセージを送信する。
【０１６１】
ことを含む。
【０１６２】
本発明のこの実施形態における方法では、マクロ基地局が、ＲＲＣ接続を確立した後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してスモールセルにコンフィギュレーションメッセージを送信することが、
ＲＲＣ接続が確立された後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してユーザプレーンプロトコルコンフィギュレーション情報を送信すること、または
ＲＲＣ接続が確立された後、ワイヤレスインターフェースを介してＵＥにＲＲＣリコンフィギュレーションメッセージを送信し、スモールセルがＵＥとのユーザプレーン接続を確立するように、有線またはワイヤレスインターフェースを介してセカンダリコンポーネントキャリアＳＣＣコンフィギュレーション情報を送信すること
を含み得る。
【０１６３】
本発明のこの実施形態における方法では、
有線インターフェースは、以下のうちの、任意の１つ、またはいくつかの任意の組み合わせを含み得る。
【０１６４】
基地局とモビリティマネジメントエンティティＭＭＥとの間のＳ１インターフェース、基地局間のＸ２インターフェース、共通公衆無線インターフェースＣＰＲＩ、およびワイヤレスネットワークコントローラと基地局との間のＩｕｂインターフェース。
【０１６５】
ワイヤレスインターフェースは、
基地局とＵＥとの間のＵｕインターフェース、および／または基地局の伝送のためのマイクロ波インターフェース
を含み得る。
【０１６６】
本発明のこの実施形態におけるマクロ基地局では、コンフィギュレーションメッセージ送信モジュールがさらに、
静的または半静的な設定リソースの割り当て情報を送信し、
静的または半静的な設定リソースでのランダムアクセスのためのリソース割り当て情報、またはランダムアクセスおよびデータスケジューリングのためのリソース割り当て情報を送信する
ように構成されてもよい。
【０１６７】
本発明のこの実施形態における方法はさらに、
ステップ２５０３。スモールセルから静的または半静的な設定リソースのための適用を受信する。または
ＵＥをマクロ基地局にハンドオーバーする命令を受信する。
【０１６８】
を含み得る。
【０１６９】
従来技術と比較すると、本発明のこの実施形態において提供される方法では、マクロ基地局が、ＵＥとピコセルとの間のＲＲＣ接続を確立することができ、次に、ピコセルがＵＥとのデータベアラを確立するように、スモールセルを構成し、ピコセルが、マクロ基地局とデータトラヒックを共有するので、モバイルブロードバンド通信の帯域幅および容量は増え、システムの全コストは低い。
【０１７０】
図２６は、本発明の実施形態に係る別のワイヤレスブロードバンド通信方法のフローチャートである。この実施形態は、
ステップ２６０１。ＵＥが、マクロ基地局との無線リソース制御ＲＲＣ接続を確立する。
【０１７１】
ステップ２６０２。ＵＥがＲＲＣ接続を確立した後、マクロ基地局によってＵＥに送信されるＲＲＣリコンフィギュレーションメッセージを受信する。
【０１７２】
ステップ２６０３。ＵＥが、ＲＲＣリコンフィギュレーションメッセージに基づいてスモールセルとのユーザプレーン接続を確立し、ユーザプレーン接続でスモールセルとのデータベアラを確立する。
【０１７３】
を含む。
【０１７４】
本発明のこの実施形態における方法では、スモールセルとＵＥとの間の無線インターフェースのプロトコルスタックは、
パケットデータコンバージェンスプロトコルＰＤＣＰ、無線リンク制御ＲＬＣレイヤプロトコル、媒体アクセス制御ＭＡＣレイヤプロトコル、およびレイヤ１Ｌ１プロトコルを含むのみであり、および／または
無線リソース制御ＲＲＣレイヤプロトコルを含まない。
【０１７５】
従来技術と比較すると、本発明のこの実施形態において提供される方法では、ＵＥが、マクロ基地局を介してピコセルとのＲＲＣ接続を確立し、次にＲＲＣリコンフィギュレーションを介してピコセルとのユーザプレーン接続を確立することができるので、ピコセルはマクロ基地局とデータトラヒックを共有し、モバイルブロードバンド通信の帯域幅および容量は増え、システムの全コストは低い。
【０１７６】
実現の上記説明を通して、本発明が、ハードウェアによって、またはソフトウェアに加え、必要な汎用のハードウェアプラットフォームによって、達成され得ることが、当業者にとって明らかである。これに基づいて、本発明の技術的なソリューションは、ソフトウェア製品の形態で具現化され得る。ソフトウェア製品は、１つの不揮発性記憶媒体（たとえば、ＣＤ−ＲＯＭ、ＵＳＢフラッシュドライブ、またはリムーバブルハードディスク）に記憶されることができ、本発明の実施形態に係る方法を実行するようコンピュータ機器（たとえば、パーソナルコンピュータ、サーバ、またはネットワーク機器）に命令するように適合したいくつかの命令を含む。
【０１７７】
添付の図面が、単なる好ましい実施形態の模式図にすぎないこと、添付の図面におけるモジュールまたは処理が、本発明の実現に必ずしも必要とされるわけではないことが、当業者によって理解されるべきである。
【０１７８】
ある実施形態に係るデバイス中のモジュールが、その実施形態の説明に係るその実施形態のデバイス中に分散され得ること、またはそれ相応にこの実施形態とは異なる１つ以上のデバイス中に配置されるように変更され得ることが、当業者によって理解されるべきである。上述した実施形態のモジュールは、組み合わされて１つのモジュールにされ得るか、または複数のサブモジュールにさらに分割され得る。
【０１７９】
本発明の実施形態における通し番号は、説明のためのみのものであり、実施形態の選好を表すものではない。
【０１８０】
上記説明は、本発明の単なる特定の実施形態にすぎず、本発明を限定することを意図したものではない。当業者によってなされる変更、均等な置換、または改良はいずれも、本発明の保護範囲内に入るべきである。
【図１】
0005917691.tif 000003
【図２】
0005917691.tif 000004
【図３】
0005917691.tif 000005
【図４】
0005917691.tif 000006
【図５】
0005917691.tif 000007
【図６】
0005917691.tif 000008
【図７】
0005917691.tif 000009
【図８】
0005917691.tif 000010
【図９】
0005917691.tif 000011
【図１０】
0005917691.tif 000012
【図１１】
0005917691.tif 000013
【図１２】
0005917691.tif 000014
【図１３】
0005917691.tif 000015
【図１４】
0005917691.tif 000016
【図１５】
0005917691.tif 000017
【図１６】
0005917691.tif 000018
【図１７】
0005917691.tif 000019
【図１８】
0005917691.tif 000020
【図１９】
0005917691.tif 000021
【図２０】
0005917691.tif 000022
【図２１】
0005917691.tif 000023
【図２２】
0005917691.tif 000024
【図２３】
0005917691.tif 000025
【図２４】
0005917691.tif 000026
【図２５】
0005917691.tif 000027
【図２６】
0005917691.tif 000028